(57)【要約】【課題】コンテナ容器等の排出管からのバルブ管の取り付け及び取り外しを一人の作業者で作業できると共に、取り付け及び取り外し作業を容易にすることができる接続補助具を提供すること。【解決手段】コンテナ容器等の排出管４にバルブ管５を接続部材６によって接続する際に用いる接続補助具であって、排出管４の先端部にて排出管４との間に空けた隙間に接続部材６を保持する受け部１２と、前記受け部１２から排出管４の軸方向外方に延び、バルブ管５を排出管４への進退方向に摺動させて誘導可能な誘導路１３とからなることを特徴とするバルブ管の接続補助具７。【選択図】図３
2007145402.tif 000002
【特許請求の範囲】
【請求項１】
コンテナ容器等の排出管にバルブ管を接続部材によって接続する際に用いる接続補助具であって、排出管の先端部にて排出管との間に空けた隙間に接続部材を保持する受け部と、前記受け部から排出管の軸方向外方に延び、バルブ管を排出管への進退方向に摺動させて誘導可能な誘導路とからなることを特徴とするバルブ管の接続補助具。
【請求項２】
排出管の鍔部とバルブ管の鍔部とを合わせて両鍔部を１体の接続部材により外嵌装して接続する際に用いる接続補助具であって、排出管の鍔部外周の最下部を含む一部に沿って設けられた受け部と、該受け部の最下部から延設され、バルブ管の摺動による誘導時にバルブ管が横に落ちない程度の凹状溝を有する誘導路とからなる請求項１に記載のバルブ管の接続補助具。
【発明の詳細な説明】
【技術分野】
【０００１】
この発明は、各種流体の輸送や収納に使用するコンテナ容器等の排出管にバルブ管を接続する際に使用する補助具に関する。
【背景技術】
【０００２】
図１に示すように、各種流体の輸送や収納に使用するコンテナ容器１は、金属製の容器本体３の下部に排出管４とバルブ管５を設けた構造を有し、この容器本体３の内部に液体や粒状体などの流動物を収納し、排出管４に接続されたバルブ管５に設けられたバルブを開くことにより、流動物の取出しを行うものである。
【０００３】
最近は、コンテナ容器本体の内部に装着した内袋に流動物を収納し、内袋本体の底部に内部と連通する状態で取付けられたノズルを排出管内に位置させ、内袋内に流動物を収納することにより、流動物と容器本体の直接的な接触の発生がないようにしたものがあり、これらコンテナ容器用の内袋を用いたものは、収納する流動物の種類を変更する場合には内袋を取り換えればよいので、容器本体の洗浄が不要になり、洗浄コストの低減が可能になるという利点がある（例えば、特許文献１や特許文献２）。
【特許文献１】特許第２９１５３４２号公報、図１
【特許文献２】特開２０００−１６８８８８号公報、図１
【発明の開示】
【発明が解決しようとする課題】
【０００４】
ところで、上記したコンテナ容器用の内袋を用いたものであっても、衛生用製品や食料品などを収納する、いわゆるサニタリー用のコンテナ容器の場合、収納物の取り出し後の再利用の前には、内袋を用いたものであっても内袋の取り出しの際の液ダレ等の汚染等を考慮し、万全を期すために高圧水によるコンテナ内部の洗浄が必須となっている。
【０００５】
コンテナ内部を洗浄する場合、コンテナ容器の排出管からバルブ管を取り外し、排出管内を高圧水による洗浄を行い、必要に応じてコンテナ容器内部に内袋を取り付けた後、再度、排出管にバルブ管を取り付け、収納物を収納する。
【０００６】
ところで、筒状体内にバルブを組み込んだバルブ管を上記排出管へ取り付ける方法は、一人がバルブ管を支えて保持しつつ排出管とバルブ管の両フランジ（鍔部）を合わせてから、もう一人が両フランジの外側から接続部材を外嵌装することにより、排出管にバルブ管を接続するようになっている。
【０００７】
また、バルブ管の上記排出管からの取り外しについても、一人がバルブ管を支えた状態で、もう一人が排出管とバルブ管の両フランジを接続している接続部材を取り外すことにより行うようになっている。
【０００８】
上記のバルブ管の取り付け取り外し作業は、バルブ管は重量があり作業が重労働になると共に、２人以上の複数人で作業をしなければならないので、作業コストが高くなるという欠点があった。
【０００９】
そこで、この発明の課題は、コンテナ容器等の排出管からのバルブ管の取り付け及び取り外しを一人の作業者で作業できると共に、取り付け及び取り外し作業を容易にすることができる接続補助具を提供することにある。
【課題を解決するための手段】
【００１０】
上記のような課題を解決するため、請求項１の発明は、コンテナ容器等の排出管にバルブ管を接続部材によって接続する際に用いる接続補助具であって、排出管の先端部にて排出管との間に空けた隙間に接続部材を保持する受け部と、前記受け部から排出管の軸方向外方に延び、バルブ管を排出管への進退方向に摺動させて誘導可能な誘導路とからなる構成を採用した接続補助具である。
【００１１】
また、請求項２の発明は、上記請求項１の接続補助具において、排出管の鍔部とバルブ管の鍔部とを合わせて両鍔部を１体の接続部材により外嵌装して接続する際に用いる接続補助具であって、排出管の鍔部外周の最下部を含む一部に沿って設けられた受け部と、該受け部の最下部から延設され、バルブ管の摺動による誘導時にバルブ管が横に落ちない程度の凹状溝を有する誘導路とからなる構成を採用したものである。
【発明の効果】
【００１２】
上記請求項１の発明によれば、排出管へのバルブ管を接続する作業が、従来はバルブ管を排出管へ接続状態を保持する者と、保持されたバルブ管と排出管とを接続部材によって接続する作業を行う者との複数人が必要であったのが、接続補助具の受け部にて排出管の端部にて接続部材を保持させておいて、バルブ管を接続補助具の誘導路によって接続部材まで誘導でき、その後受け部に保持された接続部材を締結することによって排出管にバルブ管を接続することができ、一人の作業者で容易に取り付け作業ができる。
【００１３】
また、排出管からバルブ管を取り外す作業にしても、従来はバルブ管を落ちないように保持する者と、接続部材を取り外す者と複数人が必要であったのが、接続部材の締結の解除を行っても、接続部材は受け部に、バルブ管は受け部と誘導路によって落下が防止され、取り外し後のバルブ管は誘導路に沿って排出管より後退動させて取り外せるので、一人の作業者で容易に取り外し作業ができる。
【００１４】
上記請求項２の発明によれば、排出管とバルブ管の両鍔部を外嵌装する接続部材を、排出管の鍔部外周の最下部を含む一部に沿って設けられた受け部により支えることができ、該受け部の最下部から排出管の軸方向外方へ伸びる凹状溝を有する誘導路により、バルブ管を支えると共に排出管へ摺動させることができるので、バルブ管の排出管への進退動と接続部材の鍔部への外嵌装が一人の作業者で別々に行え、バルブ管の取り付け及び取り外しが一人の作業者で容易に行うことができる。
【発明を実施するための最良の形態】
【００１５】
図１のように、コンテナ容器１は、複数の支持脚２で自立するようにした金属製の容器本体３と、この容器本体３の底部に設けた排出管４とからなり、排出管４は、円筒パイプを用い、容器本体３の底部から垂下して途中から水平に屈曲し、端部では水平方向になるように設置され、この排出管４の端部に別途用意したバルブ管５の一方端部を接続部材６により接続することにより、排出管４の端部開口を閉鎖する。
【００１６】
そして、排出管４とバルブ管５が接続部材６により接続された部分からバルブ管５の下側にかけて、バルブ管５を接続部材６により接続する際に用いる本発明の接続補助具７が固定されている。
【００１７】
図２は、図１の排出管４及びバルブ管５付近を拡大した一部切欠正面図であり、排出管４とバルブ管５との接続は、排出管４の端部の鍔部８（フランジ）と、バルブ管５の一方端部の鍔部９を、必要に応じてＯリング等を挟んで向かい合わせ、両鍔部８，９の外側から適宜な接続部材６にて外嵌装してこの接続部材６を締結することによりバルブ管５は排出管４に固定されることになる。
【００１８】
バルブ管５は内部に開閉バルブ１０を有し、他方端部に着脱自在な蓋１１を有し、この蓋１１を閉鎖し、開閉バルブ１０を閉じた状態でコンテナ容器内に流動物を充填して輸送や格納を行うと共に、収納した流動物の取り出しは、バルブ管５の蓋１１を取り外した後、開閉バルブ１０を操作することによって行うことができる。
【００１９】
接続補助具７は、固定側となる排出管４と位置関係が変わらないように、図示しない適宜な手段により固定されている。
【００２０】
図３（ａ）は上記接続補助具７の斜視図であり、図３（ｂ）はこの接続補助具７と排出管４、バルブ管５、及び接続部材６との位置関係を示す斜視図である。
【００２１】
接続補助具７は受け部１２と誘導路１３とが一体に成形されており、受け部１２は排出管４の鍔部８の下側に位置し、誘導路１３は前記受け部１２の中央最下部からバルブ管５が設置されるべき部分の下部に延設されている。
【００２２】
前記受け部１２は、鍔部８の外周に沿うように湾曲しており、また鍔部８の外周との間には接続部材６を収めるだけの隙間が設けられており、接続部材６を収めた時に、接続部材６が倒れたり落下しないように排出管４軸方向における鍔部８の前後が盛り上がって湾曲し溝状となっており、受け部１２の幅（鍔部８の外周方向）は、接続部材６を保持できる程度の大きさがあれば良く、図示のものでは排出管４の中心からみて鍔部８外周に対し下方に約９０度程度である。
【００２３】
前記誘導路１３は、幅方向両側が盛り上がって湾曲することで排出管４の軸方向に延びる溝状となっており、この湾曲をバルブ管５の最大径部の外周と略一致させ、表面を滑らかに形成しておくことで、バルブ管５を横に落とすことなくスムーズに排出管４の軸方向に摺動させることができる。
【００２４】
これら受け部１２と誘導路１３とからなる接続補助具７の材料は、バルブ管５の積載や摺動に耐える剛性を有するものであれば特に限定されるものではなく、金属の他、合成樹脂やその他のものも使用できる。
【００２５】
また、この発明の接続補助具７としては図示のものに限定されず、受け部１２や誘導路１３の形状や大きさも使用される排出管４の直径や接続部材６の大きさにあわせて適宜変更して実施できる。また、誘導路１３も図示の湾曲状の溝の他、例えば、棒状体の複数を排出管の軸方向に並べたようなものや、その他の形状のものであっても良い。
【００２６】
排出管４とバルブ管５とを接続するための接続部材６は、内部に溝１４を有するリング状のものを２つに均等に分割した分割体６ａ，６ｂとからなり、これら両分割体は蝶番１５で接続されており、蝶番１５が無い他方端部には重ね合わせた時に一致する貫通孔１６を有する。
【００２７】
この接続部材６の接続原理は、排出管４とバルブ管５を接続状態とした上で両者の重ね合わされた鍔部８，９を溝１４に嵌め込み、分割体６ａ，６ｂを重ね合わせて貫通孔１６にボルトを通してナットを締める等の適宜締結手段により接続部材６全体を両鍔部８，９に外嵌装して固定することにより、排出管４にバルブ管５が固定される。
【００２８】
なお、図示のように、前記誘導路１３の溝の最下部を受け部１２の溝の最下部より上方になるようにする等、適宜の段差を形成しておけば、誘導路１３により誘導されたバルブ管５の鍔部９を大きく持ち上げずにスムーズに受け部１２に収められた接続部材６の溝１４に入れることができ、接続作業が楽になる。
【００２９】
次に、この発明の接続補助具７を用いた接続作業を説明すれば、まず、一人の作業者が、排出管４の鍔部８と接続補助具７の受け部１２との隙間に接続部材６の下部分割体６ａを乗せ、下部分割体６ａの溝１４上に排出管４の鍔部８が来るようにしておく。
【００３０】
続いて、作業者が接続補助具７の誘導路１３上にバルブ管５を載せ、排出管５の方向へ誘導路１３上を摺動スライドさせて進行させ、受け部１２上の接続部材６の下部分割体６ａ内の溝１４にバルブ管５の鍔部９を入れ、図３（Ｂ）の状態とする。
【００３１】
その後、接続部材６の上部分割体６ｂを排出管４とバルブ管５との合わさった両鍔部８，９の上半分に重ねて嵌め合わせてから、貫通孔１６にボルト・ナット等の締結手段を用いて接続部材６全体を締結すると、バルブ管５は排出管４に接合・固定されることになる。
【００３２】
次に、バルブ管５を排出管４から取り外す作業を説明すれば、作業者は接続部材６の締結を解除して接続部材６の上部分割体６ｂを引き上げて蝶番１５を中心に開けた状態とする。
【００３３】
そして、接続部材６の下部分割体６ａを下方に押すなどして排出管５及びバルブ管４の両鍔部８，９を溝部から外すと、バルブ管５も固定側の排出管４から外れる。
【００３４】
この際、接続部材６はその下部分割体６ａが接続補助具７の受け部１２により支えられて落下が防止され、またバルブ管５もその鍔部９は接続部材６の下部分割体６ａと共に接続補助具７の受け部１２に支えられ、バルブ管５本体は接続補助具７の誘導路１３の部分にて支えられることにより落下が防止される。
【００３５】
その後、作業者は接続部材６の下部分割体６ａからバルブ管５の鍔部９を外し、接続補助具７の誘導路１３に沿ってバルブ管５を排出管４より後退動させ、その後、バルブ管５を取り除く。
【００３６】
以上説明した排出管４へのバルブ管５の取り付け作業及び取り外し作業は、全て一人の作業者にて作業を行うことができる。
【００３７】
なお、上記説明した接続補助具７の排出管４への固定方法は特に限定されるものではなく、排出管４との位置関係を保持できるものであれば良く、排出管４への適宜手段での固定の他、コンテナ容器が設置された基台に固定された取付枠に接続補助具を固定するようにしても良い。
【００３８】
また、接続補助具自体はバルブ管の取り付け、取り外し時を行う時以外の不要時、特に排出管からバルブ管を取り外した後に排出管の下部から突出した誘導路の部分に作業者等が当たって怪我をしないように、既知の適宜着脱機構により取り外し可能としたり、又は、既知の適宜スライド機構により補助具全体を排出管方向に押し込み排出管端部より誘導路が突出しないようにしても良い。
【００３９】
また、水平かつ排出管の軸方向と垂直方向の支軸により補助具の受け部付近を支えて使用時は支軸を中心に回動による微調整により誘導路の角度を調整して固定可能とし、不要時は支軸を支点に補助具を下方に回動させて誘導路を下側に下ろしたりするようにしても良い。
【図面の簡単な説明】
【００４０】
【図１】コンテナ容器全体の正面図
【図２】排出管及びバルブ管部分の一部切欠正面図
【図３】（Ａ）は接続補助具の斜視図、（Ｂ）は接続補助具の使用方法を示す斜視図
【符号の説明】
【００４１】
４  排出管
５  バルブ管
６  接続部材
７  接続補助具
８，９  鍔部
１２  受け部
１３  誘導路
【図１】
2007145402.tif 000003
【図２】
2007145402.tif 000004
【図３】
2007145402.tif 000005